(57)【要約】      （修正有）【課題】画面内から香りや気体を静かに遠くまで放出でき、気体の放出方向を制御できる表示又は照明装置を提供する。【解決手段】薄型画面１０の画素間に気体が通過できる穴３を多数設け、前記薄型画面１０裏側に気圧を変化させるための気体制御装置５を設けた表示又は照明装置１において、気圧発生部６と薄型画面１０との間に、筺体８とダクト機構９を有する気流ガイド機構７を設ける。前記気流ガイド機構７には、消音機構１４、気流方向制御機構、気体不純物除去機構１２、光触媒を用いた有機物分解除去機構、断熱部材などを設ける。帯状の細長い光学機能部品を横に並べて薄型画面１０を構成し、当該部品間に細長いスリット状穴を設ける。気体は当該穴を通過し、香りや気流を提示する。【選択図】図１
2012053320.tif 000002
【特許請求の範囲】
【請求項１】
発光体を画素として並べて薄型画面（１０）が構成され、画素の間には、気体が通過できる穴（３）が多数設けられ、画面の裏側には、気圧を変化させるための気体制御装置（５）が設けられた表示又は照明装置において、
当該気体制御装置は、気圧発生部（６）と気流ガイド機構（７）を持ち、当該気流ガイド機構は、前記画面の所定範囲の穴に前記気圧変化を生じさせるための筺体（８）と、当該筺体と気圧発生部を結ぶダクト機構（９）を有することを特徴とする表示又は照明装置。
【請求項２】
請求項１において、薄型画面（１０）には映像、又は、照明が表示され、気流ガイド機構（７）には、気圧発生部の駆動音を除去、又は、減衰させる消音機構（１４、１５）が設けられることを特徴とする表示又は照明装置。
【請求項３】
請求項１、又は、請求項２において、画面の穴を介して気体を所定方向に放出制御するために、気流ガイド機構（７）内に、羽を所定方向に並べた気流制御機構（１６）を設け、当該羽部の気圧を画面外側に比べ上昇させることを特徴とする表示又は照明装置。
【請求項４】
請求項１から請求項３の何れかにおいて、気流ガイド機構（７）、又は、気体通過経路には、気体不純物を除去するための部材、又は、機構が用いられ、当該不純物が除去された気体が画面の穴（３）を通過することを特徴とする表示又は照明装置。
【請求項５】
請求項４において、気体不純物を除去するための部材は、光触媒部材（２２、２３、２４）であって、画面裏側、又は、気流ガイド機構内には、当該光触媒部材を活性化させるための光源が、当該光照射方向が当該光触媒部材に向くように、かつ、利用者側に直接向かないように設けられたことを特徴とする表示又は照明装置。
【請求項６】
請求項１から請求項５の何れかにおいて、気流ガイド機構（７）、又は、画面の穴（３）の周辺に断熱部材（１７、３３）が用いられることを特徴とする表示又は照明装置。
【請求項７】
請求項１から請求項６の何れかにおいて、薄型画面（１０）は、発光体（２）を管状又は帯状に並べた細長い光学機能部品（２０）を横方向に並べて構成され、当該細長い光学機能部品の間には、細長いスリット状の穴（３）が設けられ、当該スリット状穴を気体が通過することを特徴とする表示又は照明装置。
【発明の詳細な説明】
【技術分野】
【０００１】
画面から香りや気体を放出できる表示装置、又は、照明装置に関する。
【背景技術】
【０００２】
映像表示において、臨場感を高めるには、香り提示、気流や風を用いた触覚提示が有効である。映像の変化に追随するように香りや気流を提示するには、人物の位置検出に基づいて気体を放出する制御が望ましい。
【０００３】
この課題に対して、本発明者は、画面の裏側にカメラを設けて人物を検出し、画面の裏側に気体発生装置を設け、当該画面の穴を介して、検出された人物に向けて、香りや風を提示する機能を有する表示装置を発明した。特WO2008-093721には、画面の構造と使用する表示素子、画面に設ける穴の構造、表示装置の機能や応用、照明装置としても利用できることなどが開示されている。
【０００４】
しかし、画面内から気体を放出する従来の表示装置では、気体発生装置が駆動音を発生し、当該雑音が画面内から放出されるため、臨場感を損ねる問題がある。また、香りや気体が画面の穴を通過すると、画面付近に埃や香料が付着し、清掃が面倒である。気体通過部に残香料が存在すると、次の香りを放出する際に香りが混ざり、クリアな香り提示にはならない問題もある。更に、画面の穴に温気体を通過させる際に、表示素子が加熱されると当該素子は劣化する。前記文献には、これらの問題についての記述はない。また、画面に設けた穴を介して気体を様々な方向に放出する気流制御機構については、十分に検討されていない。
【０００５】
前記文献には、薄型、大画面を構成する表示素子として、ＬＥＤ、有機ＥＬ、液晶、プラズマなどの原理を用いたものが開示されているが、気体を通過させやすい画面の穴の形状と画素列構成方法との関係について、記述は十分ではない。本発明では、後に述べるように、画面に開ける穴として細長いスリット状穴を用いるが、このような穴を有する表示装置については開示されていない。
【０００６】
薄型、大画面を構成する技術として、特WO2006-100775には、細いガラスのプラズマ管を多数並べ、その面に電極を施した樹脂フィルムを設けたプラズマチューブアレイ方式が開示されている。しかし、当該文献には、画面裏側に気体放出装置を設け画面を介して気体を放出する技術は開示されていない。
【０００７】
【特許文献１】特WO2008-093721
【特許文献２】特WO2006-100775
【発明の開示】
【発明が解決しようとする課題】
【０００８】
画面の中から気体を放出する表示又は照明装置において、画面内から香りや気体を静かに遠くまで放出でき、気体の放出方向を制御できるようにする。必要に応じて香りの種類を高速にクリアに切り替えて放出する、また、清浄な気体を放出できるようにする。映像に同期するように、香りや気体を放出することで、臨場感の高い映像表示装置を実現する。
【課題を解決するための手段】
【０００９】
＜手段１＞  
本発明の表示又は照明装置（１）は、例えば、図１、図２に対応づけて説明すると、
発光体（２）を画素として並べて薄型画面（１０）が構成され、画素の間には、気体が通過できる穴（３）が多数設けられ、画面の裏側には、気圧を変化させるための気体制御装置（５）が設けられた表示又は照明装置において、
当該気体制御装置は、気圧発生部（６）と気流ガイド機構（７）を持ち、当該気流ガイド機構は、前記画面の所定範囲の穴に前記気圧変化を生じさせるための筺体（８）と、当該筺体と気圧発生部を結ぶダクト機構（９）を有することを特徴とする。
【００１０】
本発明では、画面の穴を介して気体を放出する。当該穴は小さいため気体通過の抵抗になる。気体を遠くまで通過させるには、画面を薄型にして穴の気体通過抵抗を減らし、裏側に圧力を加えなければならない。このために、気圧発生部（６）に送風機、瞬間気体圧縮機などを用い、かつ、気流ガイド機構の筺体（８）を画面との間で気体が漏れないようにして画面裏側に設け、当該筺体と気圧発生部をダクト機構（９）で連結する。当該気体が漏れない構造として、図１のように、筺体を画面裏側に接近させてもよく、また、図６のように、筺体と画面との間に気体が漏れない羽機構を介してもよい。
【００１１】
気圧の変化によって、単位時間当たりの気体放出量を制御できる。なお、気圧発生部（６）は、気圧上昇部でも気圧降下部でもよい。気圧を上昇させれば、画面の穴から気体を放出でき、気圧を降下させれば画面の穴から気体を吸い出すことができる。
【００１２】
図２に示すように、気体制御機構（５）は、一つの気圧発生部（６）と、複数の気流ガイド機構（７）から構成できる。気体を分割して、複数の筺体（８−１、８−２、８−３）に導き、画面の複数の場所から気体を放出するように構成できる。各筺体の中に異なる香り発生手段（３５−１、３５−２、３５−３）を入れて置き、画面に複数の商品映像を表示し、当該映像の近くから関連する香りを放出できる。
【００１３】
前記気圧発生部（６）は駆動音、振動音を発生するため、当該音が、画面（１０）から放出されないように、気圧発生部と画面は、気流ガイド機構（７）を介して接続している。つまり、気圧発生部と画面は、気流ガイド機構である筺体とダクトによって音響的に分離できる。気流ガイド機構を長くするだけでも音は減衰するが、当該機構の中に消音機構（１３、１４、１５）を内蔵できる。また、気流ガイド機構（７）には、気流制御機構（１６）、不純物除去機構（１２、２２、２３、２５）、断熱機構（１７）など、映像や照明を快適に表示するに必要な機構を備えることができる。
【００１４】
気体が穴を通過する際に穴の周りに気流の乱れができると、穴部は振動により雑音を発生することがあるので、画面に設ける個々の穴は、気流の乱れが生にくい流線型が望ましい。画面の画素部断面を楕円形、扁平円（図１（Ｃ）、図３の１９）、又は、台形（図１（Ｂ）の１８）にすることで、画素間の穴の気体通過抵抗を下げると共に、雑音を発生しにくくできる。
【００１５】
画面の多数の穴を介して気体を放出すると、面状圧力の皮膚触覚が得られる。自然な風のような感覚を作ることができる。
【００１６】
＜手段２＞  
本発明の表示又は照明装置は、例えば、図１に対応づけて説明すると、
手段１において、薄型画面（１０）には映像、又は、照明が表示され、気流ガイド機構（７）には、気圧発生部の駆動音を除去、又は、減衰させる消音機構（１４、１５）が設けられることを特徴とする。
【００１７】
前記のように、気圧発生部（６）の駆動音、振動音は、画面に映像を表示した場合、臨場感を損ね、邪魔になる。そこで、気流ガイド機構には、当該映像の視聴や照明に影響を与えない程度に、気流音を減衰する機構（１４）を設けることができる、又は、気流ガイド機構に音を吸収する部材（１３，１５）を用いガイドを長くすることで前記気流音を減衰させることができる。
【００１８】
特にダクト（９）の内壁にひだ（２１）を設ける、又は、ダクトを蛇行させるなどにより、気圧発生部（６）で生じた音波が衝突する部分を設け、当該衝突部に音波を吸収する素材（１５）を用いると効果的である。映像視聴中に影響を与えないとは、映像を見る位置（距離）において、音圧レベルで３０ｄB以下が望ましい。
【００１９】
前記消音機構を用いることによって気流音は小さくなるため、大型で強力な気圧発生部を用いて、気体を遠くまで放出できる。また、画面に開ける穴を小さくして高精細画面にもできる。この場合でも当該穴の気体通過抵抗に打ち勝って気体を遠くまで放出できる。
【００２０】
＜手段３＞  
本発明の表示又は照明装置は、例えば、図１、図６に対応づけて説明すると、
手段１、又は、手段２において、画面の穴（３）を介して気体を所定方向に放出制御するために、気流ガイド機構（７）内に、羽（図１の２８、図６の６３）を所定方向に並べた気流制御機構（１６）を設け、当該羽部の気圧を画面外側（観察者側）に比べ上昇させることを特徴とする。
【００２１】
前記気流制御機構は、気流ガイド機構を構成する筺体内（８）に、短冊状の羽（図１の２８、図６の６３）を多数並べ、当該羽の間を通過した気体が薄型画面の穴（３）を通過するように構成できる。当該羽を動かすことにより気流（３７、３８）の方向を制御できる。本発明では、薄型の穴付き画面を用いるため、気体は穴を所定の方向に通過する。当該、気流方向制御機能を用いて、画面前の人に向けて嗅覚刺激、又は、気流による皮膚触覚刺激を提示できる。
【００２２】
前記短冊状の羽、又は、羽の回転軸部（３２）には、気流による羽の振動を防止するための振動防止機構を設けることができる。当該振動防止機構にはゴムなどが使用できる。
【００２３】
本発明では、映像の内容に応じて、嗅覚刺激、又は、気流による皮膚触覚刺激を制御できる。香り発生手段は、精油等を気化した気体（香り）を筺体内に入れる手段（３４）、筺体内に精油等の香り発生源を入れ気化する手段（図２の３５）、気化した香料(香り)を画面の穴付近（３）に放出する手段（図７の３６）などが利用できる。画面に香りのあるシーンが表示される場合には、当該香りを放出できる。風のシーンが表示される場合には、当該触覚のための気体を放出できる。温風、冷風、又は、湿気をもった風でもよい（３０）。また、人の位置をセンサで検出し、当該人の方向に気体を放出できる。
【００２４】
＜手段４＞
本発明の表示又は照明装置は、例えば、図１に対応づけて説明すると、
手段１から手段３の何れかにおいて、気流ガイド機構（７）、又は、気体通過経路には、気体不純物を除去するための部材（２２、２３、２４）、又は、機構（１２）が用いられ、当該不純物が除去された気体が画面の穴（３）を通過することを特徴とする。
【００２５】
本発明では、映像の質を上げるには、穴を小さくして画素間距離を短くし高精細にすることが望ましい。しかし、穴を小さくすると気体不純物によって目詰まりしやすい。そこで、塵、埃を除去する多孔質フィルタ（１２）、又は、静電気フィルタを気流ガイド機構内（７）に設け、気体不純物を除去することが望ましい。
【００２６】
前記気体不純物を除去するための部材、又は、機構は、筺体内（８）に設けることが望ましい。画面（１０）と当該筺体を脱着可能に構成しておくことによって、不純物が当該筺体内にたまった場合には、画面から切り離して簡単に清掃できる。
【００２７】
＜手段５＞  
本発明の表示又は照明装置は、例えば、図１に対応づけて説明すると、
手段４において、気体不純物を除去するための部材は、光触媒部材（２２、２３、２４）であって、画面裏側、又は、気流ガイド機構内には、当該光触媒部材を活性化させるための光源（２５、２６、２７）が、当該光照射方向が当該光触媒部材に向くように、かつ、利用者側に直接向かないように設けられたことを特徴とする。
【００２８】
前記気体不純物には、香料や細菌などの有機物も含まれる。映像の内容によって香りを切り替える場合、残留香料（前のシーンで付けられた香料、精油など）が気流ガイド機構に付着していると、香りの切り替えがクリアでない。また、精油は画面の穴に付着して目詰まりの原因になることある。更に、気体中に細菌や有害な有機化学物質などの不純物が混じっていると、利用者に悪影響を与える。不要な有機化学物質（有機不純物）は、除去することが望ましい。
【００２９】
そこで、気流ガイド機構（７）、又は、気体通過経路には、当該有機不純物を分解、除去する部材を用いることができる。本発明では、容積が大きい筺体（８）を使用し、筺体内には気流制御機構（１６）などの構造物を実装でき、また、画面の小さな穴（３：構造物）を通して気体が放出される。つまり、気体中の不純物が当該構造物に付着しやすいため、当該構造物に光触媒部材を用いることで、不純物を効率良く分解、除去できる。また、ダクト機構を長くして、当該機構内に光触媒部材を塗布し、有機不純物を当該機構で捕捉し、ダクト内に光を照射し光触媒反応を利用して、有機不純物を分解、除去してもよい。
【００３０】
前記光触媒部材を活性化させるための光源に波長の短い紫外線などの高エネルギー光源を用いると、分解、除去の効率がよい。当該光を穴（３）の周辺に導くことも可能で、穴に付着した有機不純物（精油など）を除去できる。香りを放出する前に、気流ガイド機構内に残存する前の香料を分解、除去し、次の香料を気化して放出すると、クリアな香りが提示できる。また、気流ガイド機構内で細菌や有害な有機化合物も分解除去できるため、清浄な空気を放出できる。
【００３１】
前記光触媒部材活性化光源は、表示装置の発光体とは別に制御される光源（２５、２６、２７）が望ましい。当該光源の光照射方向が利用者側に直接向かないようにすることで、眼への負担を軽減できる。図１では、画面１０の裏側に紫外線などを放出する光源２６を設けている。この光は、主に、筺体内、又は、画面の穴付近に照射され、観察者への直接照射は避けることができる。なお、前記光触媒部材が、可視光で活性化する性質がある場合には、表示装置の可視発光体の光を前記光触媒部材に当てて当該部材を活性化させ、有機物を分解、除去してもよい。
【００３２】
＜手段６＞  
本発明の表示又は照明装置は、例えば、図１に対応づけて説明すると、
手段１から手段５の何れかにおいて、気流ガイド機構（７）、又は、画面の穴（３）の周辺に断熱部材（１７、３３）が用いられることを特徴とする。
【００３３】
本発明では、画面に設けた穴を温気体、冷気体が通過することもあるため、前記発光体は、温度の影響で劣化する可能性がある。また、熱が周辺に拡散すると温度の切り替えが遅くなる問題がある。そこで、気流ガイド機構内、又は、画面の穴周辺、つまり、気流放出経路に断熱部材（１７、３３）を用いると、発光体への温度変化の影響を防止でき、また、周囲への熱の拡散を防止できる。
【００３４】
＜手段７＞  
本発明の表示又は照明装置は、例えば、図１（Ｃ）、図３〜図６に対応づけて説明すると、
手段１から手段６の何れかにおいて、薄型画面（１０）は、発光体（２）を管状又は帯状に並べた細長い光学機能部品（２０）を横方向に並べて構成され、当該細長い光学機能部品の間には、細長いスリット状の穴（３）が設けられ、当該スリット状穴を気体（３７）が通過することを特徴とする。
【００３５】
前記細長い光学機能部品（２０）は、ＬＥＤ（図６のＬＥＤ）、エレクトロルミネッセンス素子（図３、図４のＥＬ）、プラズマチューブ素子（図５のＰＬＭ）などによって構成できる。当該光学機能部品を横方向に並べ簾状にして、気体通過画面を構成できる。当該画面の発光体輝度を制御することにより、映像表示装置、又は、明るさや色を制御できる照明装置を構成できる。
【００３６】
画面に設けた穴（３（Slit））が細長いスリット状のため、前記構造の気流ガイド機構を用いることによって、気体は画面を通過しやすくなる。特に、図１（Ｃ）、図６に示すよに、画面の裏側に気体を所定方向に放出する気流制御機構（６３）を備えた気流ガイド機構（７）を用いると、気流方向とスリット方向を並行または直角にすることができるため、気体通過抵抗が少なく気体は効率よく画面を通過する。また、気体が画面を通過する際に雑音を発生することが少ない。
【発明の効果】
【００３７】
＜手段１の効果＞
本発明では、画面の裏側に設ける気体制御装置（５）を気圧発生部（６）と気流ガイド機構（７）とから構成することによって、気流ガイド機構（７）に、騒音低減機能、気流制御機能、香り切り替え機能、気体清浄機能を持たせることができる。当該気流ガイド機構を用いて、香る気流、温かい気流、冷たい気流、湿った気流、乾いた気流、清浄な気流など、様々な気流を作り放出できる。
【００３８】
画面内から香りや気体を静かに遠くまで、方向を制御して放出できる。単位時間当たりの気体放出量も制御できる。また、映像を高い臨場感で安心して鑑賞でき、装置の信頼性を向上させる効果がある。
【００３９】
また、図２に示すように、気流ガイド機構（７）を、一つの気圧発生部（６）と、複数の筺体（８−１、８−２、８−３）から構成できるため、画面に複数の商品映像を表示し、当該映像の近くから関連する香りを放出できる装置をコンパクトに構成できる。
【００４０】
＜手段２の効果＞
気流ガイド機構には、気流音を除去、又は、減衰させる消音機構が設けられるため、画面から放出される気流は静かで、映像を鑑賞する際に気流音が邪魔になることが少ない。自然の香りや風の表現に加えて、静かな中で繊細な音を表現でき、高い臨場感を実現できる。また、気体発生装置の駆動音を除去できるため、大型で強い力の気圧発生部（装置）を用いることができ、気体を遠くまで放出できる。また、画面の穴を小さくしても香りや気体を放出できるため、画素間を狭くして、高精細表示装置を実現できる
【００４１】
＜手段３の効果＞
気流ガイド機構には、画面の穴を介して気体を所定方向に放出する気流制御機構が設けられるため、映像を鑑賞している人に向けて、香りの提示や自然な風を感じる皮膚触覚提示が可能で、臨場感の高い表示装置を実現できる。
【００４２】
＜手段４の効果＞
気流ガイド機構には、気体不純物を除去するための部材、又は、機構が用いられ、当該不純物が除去された気体が前記画面を通過するため、画面の画素間に設ける穴は目詰まりしにくく、気体は正常に通過する。従って、表示装置は安定して動作し、信頼性が向上する。また、清浄な気体は健康的である。また、必要に応じて香りの種類を高速にクリアに切り替えて放出できる。映像に同期するように、香りや気体を放出することで、臨場感の高い表示装置を実現できる。
【００４３】
＜手段５の効果＞
気流ガイド機構内、又は、画面の穴に付着する有機不純物を光触媒作用によって分解、除去するため、画面の穴から清浄化された空気を放出できる。細菌やウイルス、有害な有機化合物も分解、除去できる。映像を見ている時間帯に部屋の空気は清浄化されるため、健康の増進に効果がある。
【００４４】
香りを放出する際、前の残留香料を分解、除去できるため、新しい香りの放出が極めてクリアである。つまり、前の香料と混ざった香りが放出されることは少ない。香りを高速に切り換えて放出することが可能であるため、映像シーンに適した香りを付けることによって高い臨場感が得られる。化学変化を生じさせるための光は気流ガイド機構から漏れないので、人体への影響はなく安全である。
【００４５】
＜手段６の効果＞
気流ガイド機構、又は、画面の穴付近に断熱部材を用いるため、画面に設けた穴を温気体や冷気体を通過させても、当該熱は画面の発光体には伝わりにくく、表示装置は劣化しにくい。信頼性が向上する。また、熱の拡散を防止できるため、映像のシーンに合わせて、温度の異なる気体の放出が可能であり、臨場感の高い映像表現が可能である。
【００４６】
＜手段７の効果＞
薄型画面は、細長い光学機能部品を横方向に並べて構成され、当該光学機能部品間には、細長いスリット状の穴が設けられるため、画面内から香りや気体を遠くまで放出でき、気体の放出方向を制御しやすい。また、スリット穴は気流を通しやすいため、気流音が少なく静かである。従って、臨場感の高い表示装置を実現できる。
【発明を実施するための最良の形態】
【００４７】
本発明の実施態様ついて具体的に説明する。
【実施例１】
【００４８】
図１は、薄型ＬＥＤ画面に穴を設け、気体を様々な方向に放出できる本発明の実施例である。１は、本発明の表示又は照明装置で、画素間に穴３を設けた薄型表示画面１０と、当該画面の裏側に設けられた気体制御装置５で構成される。図１（Ａ）は、当該装置の正面図、図１（Ｂ）は、（Ａ）の破線４での断面図である。装置の構成を詳細に説明する。
【００４９】
薄型表示画面１０は、厚さ１ｍｍ程度の薄い基板上に、ＬＥＤの発光体２がカラー画素ＰＸＣとして４ｍｍ間隔で格子状に並んでいる。カラー画素ＰＸＣには、一辺が１〜２ｍｍ、厚さが０．５ｍｍ程度の半導体チップが使用できる。ＬＥＤ-Ｒ、ＬＥＤ-Ｇ、ＬＥＤ-Ｂは、それぞれＰＸＣを構成する赤、緑、青の発光ダイオードである。画素間には、穴３が設けられる。穴は、画面表側の穴径が小さく、裏側に向けて大きくなる円錐形をなす。画面表側の穴径は、２．５ｍｍφである。画面断面において、画素部は台形の断面１８になっている。
【００５０】
気体制御装置５は、気圧発生部６と気流ガイド機構７から構成される。６は、羽式気圧発生装置（送風機）３１、瞬間気体圧縮装置などが使用できる。３０は、温度調整装置、又は、湿度調整装置である。温気体、冷気体を放出する場合、また、湿り気のある気体、乾燥した気体を放出する場合に用いる。熱交換原理を用いて実現できる。
【００５１】
気流ガイド機構７は、画面１０の裏側に設けられる筺体８と、当該筺体と気圧発生部を結ぶダクト機構９とから構成される。ダクト機構９は、気圧発生部６の気体を筺体８に運ぶためのものであるが、途中に気圧発生部で生じる駆動音（Noise）を減衰させるための消音機構を設けている。１４は、当該駆動音の音波を吸収するための消音機構である。また、２１はダクト内の設けられたひだ状の吸音材１５で駆動音を減衰させるように作用する。
【００５２】
筺体８は、ダクト機構からの気体を前記画面の所定範囲の多数の穴から一様に放出させるためのもので、気体が画面の穴以外から漏れないように、画面裏側１１に十分に接近するように設ける。箱形を示しているが、円筒形でもよい。本発明では、画面の穴を介して気体を放出させるが、当該穴は小さいため気体通過の抵抗になる。気体を遠くまで放出させるには、画面を薄型にして穴の気体通過抵抗を減らし、筺体を画面裏側１１に十分に接近するように、気体が漏れないようにして、画面の穴部に気圧を加えることが重要である。
【００５３】
筺体内には、気体通過部に気体不純物を除去する機構１２を設けている。１２は、多孔質フィルタなどで構成できる。６からの気体は、駆動音が抑制され、不純物が除去されて、一点鎖線３７に示すように筺体に入る。
【００５４】
本発明の気圧発生部６は駆動音、振動音を発生するが、気圧発生部と画面１０は、気流ガイド機構７である筺体８とダクト機構９によって分離され、当該機構の中に消音機構を設けているため、駆動音、振動音が伝わりにくい構造である。しかし、当該雑音の除去が不十分の場合には、筺体の内壁に吸音材１３を設けることができる。観察者の位置で、音圧レベルで３０ｄＢ以下が望ましい。
【００５５】
気体放出方向を制御する機構について述べる。前記のように、穴３の径は画面表側が小さく、裏側に向けて大きいため、気体は様々な方向に通過できる。気体通過方向の自由度が大きいため、筺体内の気流が通過する際の抵抗が少なく雑音を発生しにくい。１６は、気流制御機構で、短冊状の羽２８を一列に並べ、当該羽の角度を変えることによって、筺体内の気流の方向を制御できる。３２は、羽の回転軸である。
【００５６】
１６によって流れの方向が整えられた気体は、穴を当該方向に通過する。同図では、短冊状の羽２８が実線の場合、気体は一点鎖線３７のように画面から垂直に放出され、羽２８が破線の場合にように傾くと、二点鎖線３８のように放出される。このように、薄型画面１０と穴形状３と気流制御機構１６によって、気流方向を適切に制御できる。
【００５７】
前記気圧発生部６の３１を正回転させて気圧を上昇させれば、気体を画面の穴３から放出でき、逆回転させて気圧を降下させれば、気体を画面の穴から吸い出すことができる。
【００５８】
次に、香りの放出と切り替え機能について述べる。３４は筺体８に香りを入れる手段である。香りは、筺体内の気流３７に混ざり、画面の穴から放出される。香りを切り替えるには、新しい香りを筺体内に入れればよいが、前の香りが筺体の壁や構造物に付着すると、前後の香りが混ざってしまう問題がある。そこで、前の残留香料を不純物として除去することが望ましい。
【００５９】
香料は有機物であるため、光触媒作用を利用して分解、除去できる。２２は、筺体内部に塗布した光触媒部材、２３は、気流制御機構１６の羽に塗布した光触媒部材、２４は、画面の穴周辺に塗布した光触媒部材である。香料が付着しやすい当該部分に光触媒部材を用い、当該部分に紫外線などエネルギーの高い光線を照射すると香料は分解、除去される。
【００６０】
２５は、筺体内を照射する光源、２６は、画面の裏側に設けられた紫外線を放出する光源である。紫外線は人体に悪影響を及ぼす可能性があるが、本発明では、照射方向が筺体内を向いており、観察者の方向には直接照射されないので、人体への影響はない。なお、穴付近にも紫外線の一部が当たり、有機物を分解、除去するが、この光が穴から出て観察者に向かう率はわずかであり問題ない。
【００６１】
光触媒作用は、可視光でも可能であり、当該部材を用いて構成することもできる。この場合、表示装置の発光体２からの光を用いてもよい。穴周辺の有機物の除去に有効である。
【００６２】
香りを放出する前に光源２５、２６を駆動し、筺体内に付着した残留香料を除去することによって、極めてクリアな香りを提示できる。一つの筺体で、香りを切り替えて放出する目的に適している。
【００６３】
本発明は、空気中の細菌やウイルスなどの有害有機物質を除去し、清浄な空気を放出する目的にも使用できる。気流は、気流制御機構１６や画面の穴３など狭い部位を通過するため、空気中の当該有害物質は当該部位に吸着しやすい。そこで、当該部位に光触媒部材を用い、紫外線などを照射し当該有害物質を除去できる。映像を見ながら画面から清浄な空気が出てくるため、高齢者住宅や医療施設の映像装置に適している。伝染病の感染予防に効果的である。
【００６４】
次に、温度制御した気体放出について述べる。気体を用いて触覚提示する臨場感表示では、熱風や冷風を画面から放出する機能が求められる。温度調整装置３０によって、温気体を放出すると、画面の穴付近の発光体２にも熱が伝搬し、発光体が劣化する原因になる。また、筺体が温まってしまうと、次のシーンで冷気体を提示しようとしても高速な切り換えは難しい。そこで、気体通過部に断熱機構を用いることができる。１７は、筺体内に塗布された断熱材、３３は、穴周辺に塗布された断熱材である。当該断熱機構を用いることによって、温度調整装置３０の影響を受けないので、表示装置の信頼性向上、放出気体の高速な温度制御が可能である。
【００６５】
本発明は、画面の所定面積から一様な圧力の気体が吹き出るため、観察者は、面状圧力の皮膚触覚が得られ、自然な風のような感覚が作られる。また、映像が表示されているところから香りを放出できるため、あたかも当該表示対象から匂っているかのような臨場感が得られる。効果を確認するため実験を行った。
【００６６】
表示画面に、コマーシャル映像を流し、その映像に合わせて香りを放出したところ、被験者は、画面内から出る香りに引き寄せられるように、顔を近づけ、香りを知覚できた。香りの有無で、被験者に内省報告を求めたところ、香り無しの映像では、コマーシャルの内容を理解するにとどまるが、香り付き映像では、当該商品に対するイメージがより具体的で、エピソードを交えて印象を報告する被験者が多数いた。例えば、カレーのコマーシャツでは、「実際のカレーから出る湯気のような皮膚触覚を感じた。」「知り合いと食べたときの様子が思い出された」などである。また、生体反応を計測したところ、約７割の被験者に香り有無で異なる反応が観測され、アンケートと合わせて考察すると、臨場感の向上は明らかである。
【００６７】
図１（Ｃ）は、薄型画面１０の他の実施例である。気流ガイド機構７は、図１（Ａ、Ｂ）と同様であるが、立体的に示している。２０は、発光体２を管状又は帯状に並べた細長い光学機能部品である。２０を横方向に並べて画面が構成される。２０の間には、細長いスリット状の穴３が設けられ、当該スリット状穴を気体３７が通過する。２０の構成については、後に詳細に述べる。
【実施例２】
【００６８】
図２は、図１の実施例を自動販売機の表示部へ適用したものである。４０は、本発明の表示装置を組み込んだ自動販売機である。図２（Ａ）は、正面図、図２（Ｂ）は、（Ａ）の４での断面図である。図１と異なる部分を主に説明する。薄型画面の表示装置１０の裏側１１には、３系統の気流ガイド機構７が設けられ、当該気流ガイド機構は、１つの気圧発生部６に接続されている。
【００６９】
左側の気流ガイド機構は、円筒形の筺体８−１とダクト機構９−１から、中央の気流ガイド機構は、円筒形の筺体８−２とダクト機構９−２から、右側の気流ガイド機構は、円筒形の筺体８−３とダクト機構９−３から、各々構成されている。ＳＷ１、ＳＷ２、ＳＷ３は、６で発生した気圧を気流ガイド機構に送るためのスイッチで、電磁弁などで構成される。
【００７０】
３５−１、３５−２、３５−３は、それぞれ、筺体内に入れた香り発生源で、精油と当該精油を気化する手段で構成できる。従って、ＳＷを動作させることにより、当該スイッチに対応する香りが画面の所定の場所から放出される。気圧発生部（６）は重く大きいので、自販機の例えば下部に備え、発生させた気体を気流ガイド機構を用いて画面まで運ぶことができる。画面に商品映像を表示し、当該映像の近くから関連する香りを放出できる。画面裏側をコンパクトに構成できるため、商品を入れるスペースを広く確保できる。
【００７１】
サービスの方法について説明する。４５は、１０を含む自動販売機の表示装置、４２、４３、４４は商品Ａ、Ｂ、Ｃの映像である。４１は、自動販売機の前に来た人物の位置や表情を検出するカメラである。当該カメラシステムが、商品４３を見ている人物を検出すれば、当該商品の宣伝を開始する。例えば、当該商品がコーヒー缶である場合、「煎りたてのコーヒーは如何ですか、香りを楽しんで下さい。」などの宣伝文が表示装置１０に流れる。また、商品映像４３の近くからコーヒーの香り４６を放出する。人は、この香りに誘われて購買意欲が高まる。
【００７２】
４３の領域には、タッチパネルセンサを実装できる。当該領域を押すことによって、自動販売機に購入意思を伝達できる。自販機は、代金を表示する。利用者は了解すれば支払いを行う。４８は、支払い手段である。プリペイド式のＩＣカードなどで決済できる。４７は、商品取り出し口である。
【００７３】
本実施例では、商品ごとに気流ガイド機構７を分けているので、一つの筺体内で香りの切り替えは必要ない。従って、残留香料を分解、除去する機構は省略してもよい。しかし、同質の香りでも筺体内に付着した残留香料は酸化して悪臭になることがあるため、光触媒反応などを利用し、除去した方が望ましい。
【００７４】
なお、図２では、商品映像を表示する部分と香りを放出する映像表示部分が分かれているが、４５全体を１０の画面で構成してもよいのは当然である。商品映像表示部に微細な穴を設け、当該商品映像の中から香りを放出すれは、当該商品の現実感は更に向上する。
【実施例３】
【００７５】
図３は、本発明の実施例で、有機ＥＬ素子を画素として、当該画素を縦方向に並べた細長い光学機能部品２０を横に並べて画面１０（ＥＬ）とし、２０の間に細長いスリット状の穴３（Ｓｌｉｔ）を設け、気体を放出する表示又は照明装置である。図３（Ａ）は、正面図、図３（Ｂ）は、断面図である。図２と比較すると、気体制御装置５の構成は同様である。画面１０（ＥＬ）の構成について詳細に説明する。
【００７６】
図３（Ｃ）は、光学機能部品２０の構造である。帯状の薄い透明体ｂ１、ｂ２、例えばガラス板の中にカラー画素ＰＸＣを構成する３色のＥＬ発光体（ＥＬ−Ｂ、ＥＬ−Ｇ、ＥＬ−Ｒ）を一組にして縦方向に並べるように設け、当該各発光体に電圧を印加するための透明電極と駆動回路５０を設けている。
【００７７】
２０は、幅１ｍｍ〜数ｍｍ、厚さ１ｍｍ以下、長さ数ｍで製造できるため、これを並べることで大画面を構成できる。２０は、一つずつの面積は小さいため、製造の歩留まりは高い。
【００７８】
なお、同図では、発光体２であるカラー画素ＰＸＣが縦方向に一列並んでいるが、製造が可能な範囲で複数列を単位として光学機能部品を製造してもよい。つまり、２０は、部分映像を表示するように構成してもよい。
【００７９】
図３（Ｂ）において、複数の２０は、薄い透明シートＢＳ１、ＢＳ２で両側から挟まれ接着され、所定間隔で保持される。画面１０は、ＢＳ１、ＢＳ２を含めて１ｍｍ程度の厚さで構成できる。２０の断面を扁平円（１９）、又は、楕円にすると、２０同士の間隔であるスリット状の穴３（Ｓｌｉｔ）は、画面表側から裏側に向けて中央部が狭く裏側が広くなるため、気流は様々な方向に通過できる。一点鎖線３７は、ｓｗ１を駆動した場合で、３５の香りが放出される際の気流である。Ｐは、人物である。
【００８０】
図３（Ａ）にＥＬ発光体の駆動回路を示す。２０には、カラー画素ＰＸＣが縦方向に列状設けられている。５２（ＩＴＯ）、５３（ＩＴＯ）は、横方向の透明駆動回路であるが、全てのリード線が光学機能部品２０の長手方向端に集積化されている。５１（ＩＴＯ）は、縦方向の透明駆動回路である。全てのリード線が２０の長手方向端に集積化されている。従って、２０を並べると、２０の間には細長いスリット状穴３を形成できる。
【００８１】
このように、画面１０（ＥＬ）は、極めて薄い画面で、細長い穴を構成できる。薄い幅の狭い帯状の光学機能部品を並べているため、簾状の表示装置である。気流は画面を極めて通過しやすく、本発明の表示装置には特に適している。シミュレーション実験の結果、気体のかすかな流れの触覚提示から、強い風の触覚提示まで、様々な気流が再現できることを確認した。
【実施例４】
【００８２】
図４は、本発明に有利な長いスリット状の穴３（Ｓｌｉｔ）を有する表示画面１０（ＥＬ）を構成するための共通線を用いた駆動回路である。図４（Ａ）において、５４（ＩＴＯ）は、電力を供給する透明な共通線である。画素駆動回路５６を介してＥＬ素子に接続され、縦方向の共通線５１に接続される。５６は信号により時系列で回路を開閉できるスイッチ機能を有する。回路が開いているとき、電流は、５４から５１に流れる。このように駆動回路の信号入力部は、光学機能部品２０の長手方向の端に集積化されるため、光学機能部品２０の間に細長いスリット状の穴を設けることができる。
【００８３】
図４（Ｂ）は、発光体駆動部の拡大図である。発光体として青色ＥＬ素子３個（ＥＬ−Ｂ１、ＥＬ−Ｂ２、ＥＬ−Ｂ３）が縦方向に並んでいる。ＥＬ素子の代わりにＬＥＤを用いてもよい。５５（ＩＴＯ）は、画素駆動回路５６−１、５６−２、５６−３の開閉を制御する透明な共通の信号線である。５６は、ＭＯＳトランジスタなどで構成され、タイミング調整とスイッチングを行う。
【００８４】
図４（Ｃ）（Ｄ）は、５６の動作を説明する図である。横軸ｔは時間である。（Ｃ）は５５を流れる信号例、（Ｄ）は５６の開閉状態を示す。５５より５６にトリガ信号５７が送られる。５６−１はＴ１の時間を経て所定時間だけスイッチを開く。同図では網掛けで示す。このスイッチが開いている時間に、５５よりＥＬ素子を動作するための信号ＥＬ−Ｂ１が送られる。この信号により、マル数字１で示すように前記網掛けの時間５８だけ、ＥＬ素子（ＥＬ−Ｂ１）に電流が供給される。
【００８５】
５６−２、５６−３も同様で、トリガ信号５７を受けてから、各々、Ｔ２、Ｔ３の時間を経て網掛けで示す所定時間５９、６０だけスイッチを開く。マル数字２、３に示すように、この所定時間にＥＬ素子（ＥＬ−Ｂ２、ＥＬ−Ｂ３）に電流が供給される。本発明では、共通線を用いることにより、画素駆動の配線数を大幅に減らすことができる。
【実施例５】
【００８６】
図５は、本発明の実施例、プラズマチューブを用いて細長い光学機能部品２０を構成し、２０を横に並べスリット状の穴３を設け、気体を放出する表示又は照明装置である。図５（Ａ）は正面図である。３本のプラズマチューブＰＬＭ−Ｂ、ＰＬＭ−Ｇ、ＰＬＭ−Ｒは、近接して一体的な光学機能部品２０を構成する。各２０は、透明シートＢＳ１、ＢＳ２で挟むように接着され、画面１０（ＰＬＭ）を構成する。ＰＬＭが部分的に発光することによって画素ＰＸとなり、３本のＰＬＭが発光することによって、カラー画素ＰＸＣとなる。
【００８７】
実線５２は、表側の透明シートＢＳ１に設けられた横方向の駆動回路、破線５１は、裏側の透明シートＢＳ２に設けられた縦方向の駆動回路である。横線と縦線が交差する部分に電圧が掛かりプラズマが発光する。各線に順次電圧を掛け、画面全体を走査することにより映像を表示できる。なお、５１はＰＬＭの管壁に直接設けてもよい。厚さ１ｍｍ程度で、数ｍの大型画面を構成できる。破線で示す８は、画面裏側に接近して設けられた楕円筒型の筺体である。当該領域から、気体が放出される。
【００８８】
横方向の配線５２を、同図のように、光学機能部品２０の間で線の間隔を狭く束ねるようにすることによって、スリット状の穴３（Ｓｌｉｔ）を細長くできる。図５（Ｂ）は、透明シートＢＳ1の他の例である。横方向の駆動回路５２を２０の間の領域において更に集積化させ、細長い穴３を構成している。Ａは、プラズマに電圧を加える陽極である。スリット状の細長い穴が多数設けられることにより、気体は効率よく通過する。また、画面を洗浄する際、穴を洗浄液が通過しやすいため洗浄が容易である。
【実施例６】
【００８９】
図６は、本発明の実施例、ＬＥＤを用いて細長い光学機能部品２０を構成し、２０を横に並べてスリット状の穴３（Ｓｌｉｔ）を備えた画面１０（ＬＥＤ）とし、当該画面の裏側に回転式の筺体８ａを設け、気体を様々な方向に放出する表示又は照明装置１である。図６（Ａ）は、装置の上部断面図、（Ｂ）は、正面図である。
【００９０】
２０は、画素（ＰＸ）である細長い基板に３色カラーＬＥＤ（発光体２）を縦方向に実装し、断面を扁平円１９にしてある。図（Ｂ）に示すように、２０を縦方向に並べ、途中に中継駆動回路６８を設け縦方向に更に細長い光学機能部品を構成し、当該部品を横に並べると大画面を構成できる。５０は、縦方向のカラー画素ＰＸＣを駆動する回路である。
【００９１】
図６（Ａ）に示すように、気流ガイド機構７は、ダクト機構９と、筺体８ａと、短冊状の羽６３から構成され、この間で気体が漏れないようにする。８ａは、回転軸６２の周りに回転する。６４は、筺体に設けられた気体放出用の筒である。羽６３は、画面の裏側に放射状に設けられている。羽の一方は画面の裏側に接近し、他方は６４の気体放出口に接近している。気圧発生部６から出た気体は、９、及び、８ａを通り、羽６３によって整流され、画面のスリット状の穴３（Ｓｌｉｔ）から所定の方向に放出される。８ａが回転することで、気体３７を様々な方向に放出できる。４１は、画面１０の前の人物を検出するカメラで、検出された人に向けて気体を放出できる。
【００９２】
図６（Ａ）が図１と異なる点は、気流制御機構を構成する羽６３が、筺体８ａの外側にあることであるが、羽部に高い気圧が加わる点は、図１と同様である。
【００９３】
香りの放出について述べる。６５は、筺体８ａに取り付けられた香り発生源である。精油などが使用できる。６７は、当該香料を輸送するパイプである。６６は、微量の香料を吸蔵する部材である。当該部材は香料を気化させると共に気体を通過させる機能を有する。特許第3874715号に記載のメッシュ機構を有する板状の香り発生器などが利用できる。６６で気化した香りは、前記気流ガイド機構７内の気流によって運ばれ、画面の穴３から放出される。
【００９４】
香りを放出すると、香り分子が前記羽など、気体通過経路に付着する。２３は羽６３に塗布された光触媒部材である。２５は、当該部材に光を当て、光触媒反応を促進するための光源である。２５−２は、吹き出し用の筒６４の中に、２５−１、２５−３は当該筒の外側に設けられている。２５を点灯することによって、気流通過経路に付着した香料などの有機不純物は分解、除去される。当該動作によって、クリアな香り、又は、清浄な空気が放出される。
【実施例７】
【００９５】
図７は、本発明の実施例で、香りの切り替えを可能にする筺体を用い、香りの渦輪を放出する表示又は照明装置１である。１０（ＬＥＤ）は、図１と同様で、カラー画素の発光体２（ＰＸＣ）を並べて表示画面が構成される。画素部の断面は、台形１８である。気体制御装置は、気圧発生部６と気流ガイド機構７からなり、７は、円筒状筐体８ｂと、ダクト機構９から構成される。
【００９６】
８ｂは、筒の腹部から先端に向けて筒断面積が小さくなるものを用いる。気体放出口は、画面の裏側に接近して設けられる。８ｂの中には、複数の香り放出管７１が設けられている。同図では２本のみ示しているが、数１０本設けることができる。７１には、香りを７１の内部に放出する手段３６が設けられている。３６の動作を以下に述べる。
【００９７】
香料容器７３の香料含有液体Ｗａ、Ｗｂは、多孔質素材の芯７４の毛細管現象によって、７１の管壁に設けた穴まで搬送される。７６は小型の圧電振動子で、保持機構７７によって７１の管壁に固定されている。７６を、例えば１ＭＨｚ以上の高周波で動作させると、振動によって液体の表面張力が壊され、７１内に香料含有霧ｍｉｓが発生する。霧の粒径は１〜数ミクロンである。なお、高周波で動作させるほど霧の粒径が小さくなるため、２ＭＨｚ以上で動作させることが望ましい。７６の動作を選択することで、様々な香りを含む霧が７１内に放出される。同図では、香料ａ，ｂを含む霧が各７１内に放出されている。
【００９８】
気圧発生部６には、羽式気圧発生装置（送風機）３１、又は、瞬間気圧発生装置７８を用いることができる。３０は、温度調整装置である。６によって気圧を発生させると、気体（空気Ａｉｒ）は、ダクト機構９を通り、筐体内８ｂの気圧を高める。気体は、画面の穴３から吹き出る。この際、一部の空気は、空気収集機構７５で集められ、７１の中に入り、香料含有気体（霧）を画面の穴３から押し出す。ここで、６に瞬間気圧発生装置を用いると、気体は、同図のように、渦輪の気流３９となって放出される。７２は、画面から気体が放出される領域である。Ａｉｒ＋Ｆｒｇは、香りを含んだ空気である。
【００９９】
次に、ダクト機構９の作用について述べる。６として、瞬間気圧発生装置７８を用いる場合も、送風機３１を用いる場合も、駆動音Ｎｏｉｓｅが発生するため、ダクト機構９の内部に、消音機構１５を設けている。９の内壁に吸音部材からなるひだ２１を設け、音波を当該ひだに衝突させ、音波を減衰させることができる。
【０１００】
また、ダクト機構９は、筐体８ｂと気圧発生部６を分離する。６は、モータや電磁部品などの駆動部を有するため重くなる。本発明では薄型表示画面１０を用いるため、裏側に重量物を備えると画面が変形するなどの問題がある。しかし、図７の構成では、気圧発生部６を筐体８ｂとは別な場所に置ことができるため、画面の裏側の筐体は軽い部品で構成できる利点がある。また、表示装置構成上の融通性が高い。
【０１０１】
図７（Ｂ）は、そのことを示す本発明の応用例で、商品を香り付き映像で広告するデジタルサイネージ８０である。街頭などに設置される。同図において、１０は、映像７９を表示する穴付き薄型画面、８１は、筐体８ｂが入った画面支持部、８２は、気圧発生部６が設けられた台座、８３は、ダクト機構９が入った柱部である。左右の人Ｐに向け香り付き映像を提示できる。３７、３９は、香りを含む気流、又は、渦輪の気流である。このように、重い気圧発生部６を台座の中に入れ、画面と筺体を６から分離できるため、デジタルサイネージ全体を薄く構成できる。メンテナンスも容易である。
【０１０２】
次に、残留香料の分解、除去について説明する。本発明では、香りは、香り放出管７１の中のみを通過する。筺体８ｂの中に漏れることはない。従って、７１の内部、画面の穴部のみに付着した残留香料を除去すればよい。８４は、７１の内部に設けられた光触媒部材である。２５は、光触媒部材を活性化させるための光源である。香りを放出していないときに、７１の内部の残留有機物を除去できる。
【実施例８】
【０１０３】
図８は、本発明の実施例で、嗅覚、気流触覚提示が可能な没入型バーチャルリアリティ装置への応用である。１０−１から１０−５は、部屋の壁に設けた穴付き薄型画面の表示装置である。各画面は、細長い光学機能部品２０を横に並べて構成される。２０の間にスリット状の穴３が設けられる。画面１０の裏側には、図１に示した気体制御装置５が設けられる。気流制御機構１６により、部屋の様々な方向に気体を放出できる。４１は画面内の設けられたカメラである。１つの画面に複数のカメラが設けられ、人物の詳しい動きが検出される。当該検出された人物に向けて気体を放出することで、疑似的な風の触覚提示が可能である。
【０１０４】
本発明は、上記各実施形態に限定されるものではなく、実施段階において、その要旨を逸脱しない範囲で種々に変更することが可能である。また、上記実施形態は、種々の段階の発明が含まれており、適宜な組み合わせにより実施してもよい。更に、上記各実施例の構成要素は、その目的を踏まえて適宜省略する、又は、周知慣用技術で補うことができる。
【産業上の利用可能性】
【０１０５】
（１）バーチャルリアリティ、シミュレータの分野；本発明は、図８で示したように、没入型ＶＲ装置に利用できる。３次元空間モデルを２次元大画面にリアルタイムで透視投影変換して運動視表示を実現し、香り提示や気流提示によって臨場感を高めることができる。
【０１０６】
（２）電子広告分野（デジタルサイネージ）；図２で示したように、通行人に情報を表示する電子広告装置に利用できる。画面内に設けたカメラで視線を検出し、表示対象（商品）への関心レベルを計測し、当該レベルに応じて、香り付き映像で商品を紹介できる。また、画面から心地よい香りを放出し、利用者の注意を引き付けることができる。映像コンテンツは、インターネット等を用いて遠隔から制御できる。
【０１０７】
（３）自動販売機分野；タバコ、コーヒー、香水、フルーツなど、香りを発する商品の自動販売機に利用できる。客は、当該商品の香りを確認して購入できる。香りの提示によって、購買意欲が高まる。
【０１０８】
（４）住宅用の表示装置、照明装置、空調装置の分野；部屋の壁に本発明を用いれば、大画面でくつろいで臨場感のある映像が楽しめる。画面から、香りを放出し、風を感じる皮膚触覚提示を実施すれば、高臨場感が期待できる。また、映像を見ない場合は、照明装置として利用できる。更に、空調装置としても利用できる。
【０１０９】
（５）医療機関、老人ホームの表示装置の分野；医療機関、老人ホームでは、免疫力が弱く、外出も制限される人が多い。本発明は、空気中の細菌やウイルスなどを分解、除去でき、清浄化された空気、気持ちのよい香りを放出できる。高臨場感で映像を見ながら、綺麗な空気が放出されるため、心身ともに健康的にしてくれる。
【図面の簡単な説明】
【０１１０】
【図１】本発明の実施例で、薄型画面に穴を設け、気体を様々な方向に放出する装置を説明している。
【図２】本発明の他の実施例で、自動販売機の表示部への適用を説明している。
【図３】本発明の他の実施例で、薄型有機ＥＬ素子による細長い光学機能部品を横に並べスリット状の穴を構成し、気体を放出する装置を説明している。
【図４】本発明の他の実施例で、長いスリット状の穴を有する表示画面を構成するための駆動回路を説明している。
【図５】本発明の他の実施例で、プラズマチューブによる細長い光学機能部品を横に並べスリット状の穴を構成し、気体を放出する装置を説明している。
【図６】本発明の他の実施例で、スリット状穴を有する画面から、回転式の筺体を用いて、気体を様々な方向に放出する装置を説明している。
【図７】本発明の他の実施例で、香りの切り替えを可能にする筺体を用い、香りの渦輪を放出する装置を説明している。
【図８】本発明の他の実施例で、嗅覚、気流触覚提示が可能な没入型バーチャルリアリティ装置への応用を説明している。
【符号の説明】
【０１１１】
１・・・・・・表示又は照明装置
２・・・・・・発光体
３・・・・・・画面の画素間に設けられた穴
４・・・・・・切断面
５・・・・・・気体制御装置
６・・・・・・気圧発生部
７・・・・・・気流ガイド機構
８・・・・・・画面裏側に気圧を加える筺体
８ａ・・・・・画面裏側に気圧を加える回転する筺体
８ｂ・・・・・画面裏側に気圧を加える複数香料を放出できる筺体
９・・・・・・ダクト機構
１０・・・・・表示装置の薄型画面
１１・・・・・画面の裏側
１２・・・・・不純物除去機構（多孔質フィルタ）
１３・・・・・吸音材
１４・・・・・消音機構
１５・・・・・ダクト内に設けられた消音機構、又は、吸音材
１６・・・・・気流制御機構
１７・・・・・断熱機構（筺体内部に塗布された断熱材）
１８・・・・・画素部の断面（台形）
１９・・・・・画素部の断面（楕円、又は、扁平円）
２０・・・・・細長い光学機能部品
２１・・・・・ダクト内に設けられた雑音を減衰させるためのひだ
２２・・・・・筺体内に塗布した光触媒部材
２３・・・・・気流制御機構の羽に塗布した光触媒部材
２４・・・・・画面の穴周辺に塗布した光触媒部材
２５・・・・・光触媒部材を活性化させるための筺体内に設けた光源
２６・・・・・光触媒部材を活性化させるための画面裏側に設けた光源
２８・・・・・気流制御機構を構成する短冊状の羽
３０・・・・・温度調整装置、又は、湿度調整装置
３１・・・・・羽式気圧発生装置（送風機）
３２・・・・・短冊状の羽の回転軸
３３・・・・・断熱機構（画面の穴周辺に塗布された断熱材）
３４・・・・・香りを筺体内に入れる手段
３５・・・・・筺体内で香りを発生させる手段
３６・・・・・香りを香り放出管７１の内部に放出する手段
３７、３８・・気流
３９・・・・・渦輪の気流
４０・・・・・自動販売機
４１・・・・・人物検出用カメラ
４２・・・・・商品Ａ
４３・・・・・商品Ｂ
４４・・・・・商品Ｃ
４５・・・・・１０を含む表示装置
４６・・・・・コーヒーの香り
４７・・・・・商品取り出し口
４８・・・・・支払い手段
５０・・・・・駆動回路
５１・・・・・縦方向駆動回路
５２、５３・・横方向駆動回路
５４・・・・・共通線１（電力供給線）
５５・・・・・共通線２（信号線）
５６・・・・・画素駆動回路、又は、当該動作
５７・・・・・トリガ信号
５８、５９、６０・・発光時間
６２・・・・・筺体回転軸
６３・・・・・気流制御機構を構成する放射状の羽
６４・・・・・気体放出用筒
６５・・・・・香り発生源（精油など）
６６・・・・・微量香料吸蔵体
６７・・・・・パイプ
６８・・・・・中継駆動回路
７１・・・・・香り放出管
７２・・・・・気体が放出される領域
７３・・・・・香料容器
７４・・・・・多孔質素材の芯
７５・・・・・空気収集機構
７６・・・・・圧電振動子
７７・・・・・圧電振動子の保持機構
７８・・・・・瞬間気圧発生装置
７９・・・・・映像
８０・・・・・デジタルサイネージ
８１・・・・・画面支持部
８２・・・・・台座
８３・・・・・柱部
８４・・・・・光触媒部材
Ａ・・・・・・陽極
Ａｉｒ・・・・空気
ｂ１・・・・・帯状透明体、薄いガラス基板
ｂ２・・・・・薄い保護シート
ＢＳ、ＢＳ１、ＢＳ２・・画面を構成するシート、又は、薄い板
ＥＬ・・・・・エレクトロリミネッセンス、又は、ＥＬ発光体
ＥＬ−Ｂ・・・青色ＥＬ発光体
ＥＬ−Ｇ・・・緑色ＥＬ発光体
ＥＬ−Ｒ・・・赤色ＥＬ発光体
Ｆｒｇ・・・・香り
ｍｉｓ・・・・霧
Ｐ・・・・・・人物
ＰＸ・・・・・発光素子、又は、Ｒ、Ｇ、Ｂの各画素（サブピクセル）
ＰＸＣ・・・・カラー画素
ＩＴＯ・・・・透明電極
Ｗａ・・・・・香料ａを含有する液体
Ｗｂ・・・・・香料ｂを含有する液体
【図１】
2012053320.tif 000003
【図２】
2012053320.tif 000004
【図３】
2012053320.tif 000005
【図４】
2012053320.tif 000006
【図５】
2012053320.tif 000007
【図６】
2012053320.tif 000008
【図７】
2012053320.tif 000009
【図８】
2012053320.tif 000010